(57)【要約】【課題】従来技術のサイザの困難を克服すること。【解決手段】ハンガと指示器タブとの組合せで、ハンガは、本体から上方に延び、この本体と角を形成しているフックを有し、このフックと本体との交差点の領域の少なくとも一部で、ハンガの周囲をめぐって延びているリブを備えている。指示器タブは、端部壁により接続されている２つの対向する側壁を有している。これら側壁が、これら側壁を通る貫通孔を有していることは好ましい。一方で、前記端部壁が、この端部壁の少なくとも１つの自由端で第１のノッチを有していることは、このましく、自由端の両方で有していることはさらに好ましい。受入用隆起が、側壁の一方又は両方から内向きに延び、この受入用隆起は、前記ハンガのリブを受容するための第２のノッチを有している。【選択図】      図１
2007296366.tif 000002
【特許請求の範囲】
【請求項１】
ハンガとこのハンガのための指示器タブとの組合せ体であって、
前記ハンガは、本体から上方に延び、この本体と角を形成しているフックと、このフックと本体との交差点の領域の少なくとも一部で、前記ハンガの周囲をめぐって延びているリブとを具備し、
前記指示器タブは、端部壁により接続されている２つの対向する側壁と、前記側壁の少なくとも一方から内向きに延びている受入用隆起とを具備し、
前記端部壁は、この端部壁の少なくとも１つの自由端で第１のノッチを有し、
前記受入用隆起は、前記ハンガのリブを受容するための第２のノッチを有し、傾斜が前記側壁の内面から生じ、それによって前記受入用隆起が前記第２のノッチの上部に向かって延びている組合せ体。
【請求項２】
前記指示器の対向する側壁と端部壁との間で、中央で懸架された棒をさらに具備し、この棒の自由端は、前記リブが前記受入用隆起の第２のノッチに受容される場合に、前記ハンガのリブに係合することにより反れるように、サイズとディメンジョンとが取られている請求項１に係る組合せ体。
【請求項３】
前記側壁の少なくとも一方は、貫通孔を有している請求項１に係る組合せ体。
【発明の詳細な説明】
【技術分野】
【０００１】
本発明は、衣料用ハンガの分野に関する。本発明は、特に、標準化されたハンガスタイルと共に用いられるためのネック下部の表示器タブに関する。
【背景技術】
【０００２】
衣料の小売販売の分野では、いわゆるガーメント・オン・ハンガ（ＧＯＮ）プログラムが小売業者により好まれるようになった。ＧＯＮプログラムでは、衣料品は、小売商人に既にハンガに掛けられて配送され、小売の場所に到着するとすぐに、これら衣料品は、直接、販売のためのディスプレイに置かれる。以前は、小売業者が、彼らの自費で行われる労働で衣料品をハンガに掛ける仕事を完成させていた。
【０００３】
特に、小売業者は、彼らの販売フロアで目を楽しませるような一様さが得られるように、複数の供給業者の間で特定のハンガ又はハンガの特性を特定してきた。この目的のために、ハンガのサイズ、形状、性能特性などについての規格が、例えば、ヴォランタリ・インタインダストリ・コマース・スタンダーズ・アソシエーション（Voluntary Inter-industry Commerce Standards Association）（ＶＩＣＳ）などのような組織により維持されている。これらの間で、ある特定の規格化されたハンガの特徴は、複数のハンガのモデルにわたって極めてよく知られている。すなわち、ハンガのフックとハンガの本体との間、特にこのハンガのフックがハンガの本体と鋭い角を形成するこのハンガのフックの後ろ側で、滑らかで丸みを帯びた変化を取り入れることである。
【０００４】
加えて、ＧＯＨプログラムの推奨に相互に関連して、小売業者とかれらの顧客とは、ハンガそれ自身にハンガに掛けられている物品に関する複数の印を表示させることを望んでいる。これら印のカテゴリは、製造者、素材及び値段を含むことができるが、衣料品に関しては、とりわけそれらのサイズを含むことができる。このことを達成するために様々な手段が開発されてきた。それらは、Ｍａｒｓｈａｌらへの特許文献１と、Ｇｏｕｌｄｓｏｎへの特許文献２を含んでいる。とりわけ、これらの特許の両方が、本出願と共に共通に譲受された。これらの間でちょうど述べた後者の特許に開示されているタイプが普及している。すなわち、ハンガのフックとハンガの本体との交差点の後ろ側で、ハンガに固定されるもので、適当に名づけるならば、サイドサイザタブ、又は単に、サイドサイザ、ネック下部サイザ又は表示器である。
【特許文献１】米国特許Ｎｏ．５，８８４，４２２号公報
【特許文献２】米国特許Ｎｏ．６，０１９，２６０号公報
【発明の開示】
【発明が解決しようとする課題】
【０００５】
しかしながら、従来技術で知られているこのようなサイドサイザは、ハンガが特定の表示器を受容するように特別に製造されることを必要としている。様々な他の表示器は、普遍的に受容可能で有るように形成されることもできる。例えば、ハンガのフックを囲んで取り付けられている表示器である。これらは、一般に、ハンガのフックに沿って自由に摺動し、たいていハンガの本体に隣接するフックの基部に留まるようになる。しかしながら、これらは、ハンガにしっかりと係合せず、望ましい外観も達成しない。
【課題を解決するための手段】
【０００６】
従来技術のこれらのそして他の困難を克服するために、本発明によると、ハンガと指示器タブとの組合せが提供されている。前記ハンガは、本体から上方に延び、この本体と角を形成しているフックを有し、このフックと本体との交差点の領域の少なくとも一部で、前記ハンガの周囲をめぐって延びているリブを備えている。
【０００７】
前記指示器タブは、端部壁により接続されている２つの対向する側壁を有している。これら側壁が、これら側壁を通る貫通孔を有していることは好ましい。一方で、前記端部壁が、この端部壁の少なくとも１つの自由端で第１のノッチを有していることは、このましく、自由端の両方で有していることはさらに好ましい。受入用隆起が、側壁の一方又は両方から内向きに延び、この受入用隆起は、前記ハンガのリブを受容するための第２のノッチを有している。場合によっては、傾斜が前記側壁の内面から生じ、それによって前記受入用隆起が前記第２のノッチの上部に向かって延びる。前記指示器の対向する側壁と端部壁との間の、中央でつるされた(suspended)棒は、前記リブが前記受入用隆起の第２のノッチに受容される場合に、前記ハンガのリブに係合することにより反れるように、サイズとディメンジョンとが取られている複数の自由端を有している。
【０００８】
本出願の、これらのそして他の特徴と、有利な点と、利益とは、同一の参照符号が複数の図に渡って同一の特徴を参照している添付されている複数の図と、以下の詳細な説明を参照して、明らかとなる。
【発明を実施するための最良の形態】
【０００９】
図１を参照すると、衣料用ハンガの中央部分の全体１０とネック下部のサイザの全体１２とが前方立面図で示されている。図１では、サイザ１２の最も手前の(nearest)側壁が透明であるかのように示され、以下の特徴の図を用いた説明を容易にしている。ハンガ１０は、本体１４を有し、この本体１４から上方に延びているフック１６を備えている。ハンガ１０は、このフック１６により支持部（図示されていない）からつるされる。フック１６は、普通、非直角な角度で本体１４と交差し、したがって、この角は、一方の側で鋭角であり、他方の側で鈍角である。本発明は、フック１６と本体１４との間の交差角により限定されないため、これは、単に技術の現状を説明するためである。
【００１０】
ハンガ１０は一般に、そしてフック１６は特に、それを縁取るリブ１８を有している。このリブは、Ｉ字形状の溝(channel)、Ｃ字形状の溝、又は他の一般に知られた若しくはこれ以後に作り出されるスタイルの断面のものであろうと、このハンガの本体の断面形状により形成されている。フック１６と本体１４との交差点では、このリブ１８は、角２０を形成し、この角２０は、サイザ１２を取り付けるのに好都合で望ましい位置である。
【００１１】
図２を参照すると、ハンガ１０とサイザ１２とが、図１の２−２線に沿った断面図で示されている。サイザ１２は、端部壁２６により接続された、対向する側壁２２、２４を有している。これら側壁は、図１に見られるようなそれらの形状を参照して、同一又は同様の輪郭を有することができるが、その必要はない。同一の輪郭を有する側壁２２、２４を有すると、ハンガの前方又は背後から見たときに、対称的な外観を生ずる。さらに、例示的な実施形態では、輪郭の形状は、１つの角が丸められたほぼ三角形状である（図１を見よ）。しかしながら、サイザの輪郭形状を、本発明の精神又は範囲から逸脱することなく変化させることができる。
【００１２】
少なくとも１つの側壁２４は、ハンガ１０のリブ１８を受容し保持するためのくぼみすなわちノッチ３０を備えた内向きに突出している受入用隆起２８を有している。この受入用隆起２８は、サイザ１２をハンガ１０に取り付けるのを助けるように傾斜部３２を有することができる。さらに、ノッチ３０の深さと形状とを、サイザ１２を取外すのに対する抵抗を増加させ、又は減少させるように変更することができる。好ましい実施形態では、サイザ１２は、関連のある工業規格により規定されているような、いわゆるチャイルド・レジスタントである。すなわち、サイザ１２を取外すために必要とされる力は、典型的な子供、又は少なくとも子供の集団のうち何らかの所定の一部により印加されることができる力よりも大きい。
【００１３】
例示的な実施形態では、リブ１８は、一方の側だけに開いており、したがって、ただ１つの受入用隆起２８が必要であり、望ましくもある。しかしながら、例えば、ハンガ１０がＩ字形状の溝の形状を有している他の実施形態では、リブ１８は、両側に自由端を有しているであろう。この場合には、対向する側壁２２、２４の第２の受入用隆起２８が、例えば、取外すための抵抗をさらに増加させるために好都合でありうる。
【００１４】
図３を参照すると、ハンガ１０とサイザ１２との斜視図が示されている。端部壁２６は、この端部壁２６のいずれかの又は両方の自由側面（free sides)にノッチ３４を有していることが好ましい。サイザ１２がハンガ１０に取り付けられた場合、リブ１８は、ノッチ３４に受容され、この場合、対向する側壁２２、２４は、側方への安定性を与えるようにリブ１８に係合することができる。
【００１５】
場合によっては、再び図１と図２とを参照して、ハンガ１０に取り付けられた場合のサイザ１２の安定性をさらに高めるために、サイザ１２は、対向する側壁２２、２４と、端部壁２６との間に掛けられたストリング３６（suspended string）を有していてもよい。掛けられたストリング３６は、中央でサイザ１２に固定された素材の棒であり、この場合、端部壁２６に固定されるが、場合によっては、又は追加的に側壁２２、２４のいずれか、又は両方に固定される。懸架された(suspended)ストリングの端部は、ハンガ１０のリブ１８に係合し、サイザ１２がハンガ１０に取り付けられる場合に、すなわち、リブ１８がノッチ３０に受容される場合に、このリブ１８(it)によりそらされる。前記掛けられたストリングの端部がそらされると、サイザ１２に張力が印加され、リブ１８の受入用隆起２８のノッチ３０での係合が強められる。
【００１６】
さらなる改良として、サイザ１２は、例示的な実施形態の場合に、側壁２２、２４の両方を通して貫通孔３８を有していてもよい。貫通孔３８により、複数のサイザ１２が包装、輸送のためにつなげられることができ、マガジン(magazine)としてのハンガ１０にサイザ１２を自動的に取り付けるための機械の保持マガジン内への充填を容易にすることができ、又はさらにマガジンへの供給(magazine feed)、又は振動ボゥルへの供給(vibratory bowl feed)の機械が、ハンガ１０への取り付けの前にサイザ１２を向き付けることを可能とすることができる。
【００１７】
例としてのみ、サイザ１２又はハンガ１０の素材は、一般に射出成形されたプラスチック、例えば、プリスチレン、ＳＡＮ、ＡＢＳ、ＰＰＯ、ナイロン、ポリプロピレン（ＰＰ）、ポリエチレン、ＰＥＴ、ポリカーボネート（ＰＣ）、アクリル、クレシン（Ｋ  ｒｅｓｉｎ）、塩化ビニル、又はこれらのいずれかの変形例である。しかしながら、特定の製造方法を問わず、他のプラスチック、金属、又はほぼ所望のいかなる素材を用いることができる。具体的には、ほぼ限定なく、複数のプラスチックのうちで、素材は、透明、半透明すなわち不透明、又は所望の着色がされていてもよい。追加的な印、例えば、ハンガからつるされている品物の製造者、素材、値段、又はサイズをあらわすものが、サイザ１２と一体に成形又は形成され、又は後で塗布されて(applied)もよい。さらに、サイザ１２の色又は単にサイザ１２があることが所望の印を構成してもよい。
【００１８】
本発明は、複数の例示的な実施形態に関して説明されてきた。複数の変更並びに／若しくは改良が、この開示を考慮すると、当業者にとって、本発明の精神又は範囲を逸脱することなく、明らかであろう。これらの実施形態は、単に例として、添付されている請求項のみに規定されている本発明の範囲を限定せずに提供されている。
【図面の簡単な説明】
【００１９】
【図１】本発明の例示的な実施形態による、衣料用ハンガの中央部分とネック下部のサイザとの前方立面図である。
【図２】例示的な実施形態を図１の２−２線に沿った断面図で示す図である。
【図３】例示的な実施形態のハンガとネック下部のサイザとの斜視図である。
【符号の説明】
【００２０】
１０…ハンガ、  １２…サイザ、  １４…本体、  １６…フック、  １８…リブ、  ２０…角、  ２２…側壁、  ２４…側壁、  ２６…端部壁、  ２８…受入用隆起、  ３０…ノッチ、  ３２…傾斜部、  ３４…ノッチ、  ３６…掛けられたストリング、  ３８…貫通孔。
【図１】
2007296366.tif 000003
【図２】
2007296366.tif 000004
【図３】
2007296366.tif 000005
【手続補正書】
【提出日】平成19年8月2日(2007.8.2)
【手続補正１】
【補正対象書類名】図面
【補正対象項目名】全図
【補正方法】変更
【補正の内容】
【図１】
2007296366.tif 000006
【図２】
2007296366.tif 000007
【図３】
2007296366.tif 000008
【外国語明細書】
2007296366000001.pdf